【手続補正書】
【提出日】平成19年7月23日(2007.7.23)
【手続補正１】
【補正対象書類名】特許請求の範囲
【補正対象項目名】全文
【補正方法】変更
【補正の内容】
【特許請求の範囲】
【請求項１】
リモートクライアントコンピュータによってアプリケーションを列挙するための、コンピューティングデバイスによって少なくとも部分的に実装される方法であって、前記アプリケーションがイントラネット中に配備され、前記リモートクライアントコンピュータが前記イントラネットの外部にあり、前記方法は、
ウェブサービスへリモートアプリケーションディスカバリ要求を送信することであって、前記ウェブサービスが前記イントラネット中のリモートアプリケーション公開（ＲＡＰ）ウェブサーバ上に配備され、前記リモートアプリケーションディスカバリ要求が前記リモートクライアントコンピュータを前記ウェブサーバに結合するパブリックネットワークを介して前記リモートクライアントコンピュータによって前記ウェブサービスへ送信されることと、
前記送信に応答して、前記ウェブサービスからディスカバリ応答を受信することであって、前記ディスカバリ応答が前記リモートクライアントコンピュータのユーザによるターミナルサーバ（ＴＳ）ベースのアクセスのために前記イントラネット上にインストールされた少なくとも１つのアプリケーションを識別することと
を備えることを特徴とする方法。
【請求項２】
前記送信と受信は、前記リモートクライアントコンピュータと前記イントラネットの間の仮想プライベートネットワークコネクションとは独立であることを特徴とする請求項１に記載の方法。
【請求項３】
前記少なくとも１つのアプリケーションは、複数のアプリケーションであり、前記複数のアプリケーションのそれぞれが前記イントラネット上の複数の情報ソースによって公開されていることを特徴とする請求項１に記載の方法。
【請求項４】
前記少なくとも１つのアプリケーションは、複数のアプリケーションであり、前記複数のアプリケーションのそれぞれが前記イントラネット上の複数の情報ソースによって公開されており、前記複数の情報ソースがディレクトリサービス、ＳＭＳ（Ｓｙｓｔｅｍｓ  Ｍａｎａｇｅｍｅｎｔ  Ｓｅｒｖｅｒ）、および前記ユーザに関連づけられたオフィスコンピュータの１つまたは複数を備えることを特徴とする請求項１に記載の方法。
【請求項５】
前記ウェブサービスから前記ディスカバリ応答を受信することに応答して、前記リモートクライアントコンピュータは、前記ユーザにそれぞれのショートカットを提示し、各ショートカットが前記ディスカバリ応答で識別されたリモートアプリケーションの個々に対応し、各ショートカットがターミナルサービスを呼び出すために前記ユーザによって選択可能であり、前記ターミナルサービスが前記イントラネット上の関連づけられたインストールポイント上の対応するリモートアプリケーションを実行することを特徴とする請求項１に記載の方法。
【請求項６】
前記ショートカットは、前記リモートアプリケーションのマージされたビューを表し、前記マージされたビューが前記イントラネット上の１つまたは複数のインストールポイントのそれぞれと独立であることを特徴とする請求項５に記載の方法。
【請求項７】
リモートクライアントコンピュータによってアプリケーションを列挙するためのコンピュータ実行可能命令を備えたコンピュータ可読媒体であって、前記アプリケーションがイントラネット内に配備され、前記リモートクライアントコンピュータが前記イントラネットの外部にあり、前記コンピュータ実行可能命令は、
リモートアプリケーションディスカバリ要求をウェブサービスへ送信するための命令であって、前記ウェブサービスが前記イントラネット中のリモートアプリケーション公開（ＲＡＰ）ウェブサーバ上に配備され、前記リモートアプリケーションディスカバリ要求が前記リモートクライアントコンピュータを前記ウェブサーバに結合するパブリックネットワークを介して前記リモートクライアントコンピュータによって前記ウェブサービスへ送信される命令と、
前記送信に応答して、前記ウェブサービスからディスカバリ応答を受信するための命令であって、前記ディスカバリ応答が前記リモートクライアントコンピュータのユーザによるターミナルサーバ（ＴＳ）ベースのアクセスのために前記イントラネット上にインストールされた少なくとも１つのアプリケーションを識別する命令と
を備えたことを特徴とするコンピュータ可読媒体。
【請求項８】
前記送信および受信するための命令は、前記リモートクライアントコンピュータと前記イントラネットの間の仮想プライベートネットワークコネクションとは独立であることを特徴とする請求項７に記載のコンピュータ可読媒体。
【請求項９】
前記少なくとも１つのアプリケーションは、複数のアプリケーションであり、前記複数のアプリケーションのそれぞれが前記イントラネット上の複数の情報ソースによって公開されていることを特徴とする請求項７に記載のコンピュータ可読媒体。
【請求項１０】
前記少なくとも１つのアプリケーションは、複数のアプリケーションであり、前記複数のアプリケーションのそれぞれが前記イントラネット上の複数の情報ソースによって公開されており、前記複数の情報ソースがディレクトリサービス、ＳＭＳ（Ｓｙｓｔｅｍｓ  Ｍａｎａｇｅｍｅｎｔ  Ｓｅｒｖｅｒ）、および前記ユーザに関連づけられたオフィスコンピュータの１つまたは複数を備えたことを特徴とする請求項７に記載のコンピュータ可読媒体。
【請求項１１】
前記コンピュータ実行可能命令は、
前記ウェブサービスから前記ディスカバリ応答を受信することに応答して、前記ユーザにそれぞれのショートカットを提示するための命令であって、各ショートカットが前記ディスカバリ応答中で識別されたリモートアプリケーションの個々に対応し、各ショートカットがターミナルサービスを呼び出すために前記ユーザにより選択可能であり、前記ターミナルサービスが前記イントラネット上の関連づけられたインストールポイント上で対応するリモートアプリケーションを実行する命令
をさらに備えたことを特徴とする請求項７に記載のコンピュータ可読媒体。
【請求項１２】
前記ショートカットは、前記リモートアプリケーションのマージされたビューを表し、前記マージされたビューが前記イントラネット上の１つまたは複数のインストールポイントのそれぞれと独立であることを特徴とする請求項１１に記載のコンピュータ可読媒体。
【請求項１３】
イントラネット中に配備されたアプリケーションを列挙するためのリモートクライアントコンピュータであって、前記リモートクライアントコンピュータが前記イントラネットの外部に配備され、前記リモートクライアントコンピュータは、
プロセッサと、
前記プロセッサに結合され、前記プロセッサによって実行可能なコンピュータプログラム命令を備えたメモリとを備え、
リモートアプリケーションディスカバリ要求をウェブサービスへ送信するための命令であって、前記ウェブサービスが前記イントラネット中のリモートアプリケーション公開（ＲＡＰ）ウェブサーバ上に配備され、前記リモートアプリケーションディスカバリ要求が前記リモートクライアントコンピュータを前記ウェブサーバに結合するパブリックネットワークを介して前記リモートクライアントコンピュータによって前記ウェブサービスへ送信される命令と、
前記送信に応答して、前記ウェブサービスからディスカバリ応答を受信するための命令であって、前記ディスカバリ応答が前記リモートクライアントコンピュータのユーザによるターミナルサーバ（ＴＳ）ベースのアクセスのために前記イントラネット上にインストールされた少なくとも１つのアプリケーションを識別する命令と
を備えたことを特徴とするリモートクライアントコンピュータ。
【請求項１４】
前記送信および受信するための命令は、前記リモートクライアントコンピュータと前記イントラネットの間の仮想プライベートネットワークコネクションとは独立であることを特徴とする請求項１３に記載のリモートクライアントコンピュータ。
【請求項１５】
前記少なくとも１つのアプリケーションは、複数のアプリケーションであり、前記複数のアプリケーションのそれぞれが前記イントラネット上の複数の情報ソースによって公開されていることを特徴とする請求項１３に記載のリモートクライアントコンピュータ。
【請求項１６】
前記少なくとも１つのアプリケーションは、複数のアプリケーションであり、前記複数のアプリケーションのそれぞれが前記イントラネット上の複数の情報ソースによって公開されており、前記複数の情報ソースがディレクトリサービス、ＳＭＳ（Ｓｙｓｔｅｍｓ  Ｍａｎａｇｅｍｅｎｔ  Ｓｅｒｖｅｒ）、および前記ユーザに関連づけられたオフィスコンピュータの１つまたは複数を備えたことを特徴とする請求項１３に記載のリモートクライアントコンピュータ。
【請求項１７】
前記コンピュータプログラム命令は、前記ウェブサービスから前記ディスカバリ応答を受信したことに応答して、前記ユーザにそれぞれのショートカットを提示するための命令であって、各ショートカットが前記ディスカバリ応答中で識別されたリモートアプリケーションの個々に対応し、各ショートカットがターミナルサービスを呼び出すために前記ユーザにより選択可能であり、前記ターミナルサービスが前記イントラネット上の関連づけられたインストールポイント上で対応するリモートアプリケーションを実行する命令をさらに備えたことを特徴とする請求項１３に記載のリモートクライアントコンピュータ。
【請求項１８】
前記ショートカットは、前記リモートアプリケーションのマージされたビューを表し、前記マージされたビューが前記イントラネット上の１つまたは複数のインストールポイントのそれぞれと独立であることを特徴とする請求項１７に記載のリモートクライアントコンピュータ。
【請求項１９】
イントラネット中に配備されたアプリケーションを列挙するためのリモートクライアントコンピュータであって、前記リモートクライアントコンピュータが前記イントラネットの外部に配備され、前記リモートクライアントコンピュータは、
リモートアプリケーションディスカバリ要求をウェブサービスへ送信するための手段であって、前記ウェブサービスが前記イントラネット中のリモートアプリケーション公開（ＲＡＰ）ウェブサーバ上に配備され、前記リモートアプリケーションディスカバリ要求が前記リモートクライアントコンピュータを前記ウェブサーバに結合するパブリックネットワークを介して前記リモートクライアントコンピュータによって前記ウェブサービスへ送信される手段と、
前記送信に応答して、前記ウェブサービスからディスカバリ応答を受信するための手段であって、前記ディスカバリ応答が前記リモートクライアントコンピュータのユーザによるターミナルサーバ（ＴＳ）ベースのアクセスのために前記イントラネット上にインストールされた少なくとも１つのアプリケーションを識別する手段と
を備えたことを特徴とするリモートクライアントコンピュータ。
【請求項２０】
前記送信および受信するための手段は、前記リモートクライアントコンピュータと前記イントラネットの間の仮想プライベートネットワークコネクションとは独立であることを特徴とする請求項１９に記載のリモートクライアントコンピュータ。
【請求項２１】
前記少なくとも１つのアプリケーションは、複数のアプリケーションであり、前記複数のアプリケーションのそれぞれが前記イントラネット上の複数の情報ソースによって公開されていることを特徴とする請求項１９に記載のリモートクライアントコンピュータ。
【請求項２２】
前記少なくとも１つのアプリケーションは、複数のアプリケーションであり、前記複数のアプリケーションのそれぞれが前記イントラネット上の複数の情報ソースによって公開されており、前記複数の情報ソースがディレクトリサービス、ＳＭＳ（Ｓｙｓｔｅｍｓ  Ｍａｎａｇｅｍｅｎｔ  Ｓｅｒｖｅｒ）、および前記ユーザに関連づけられたオフィスコンピュータの１つまたは複数を備えたことを特徴とする請求項１９に記載のリモートクライアントコンピュータ。
【請求項２３】
前記リモートクライアントコンピュータは、前記ウェブサービスから前記ディスカバリ応答を受信したことに応答して、前記ユーザにそれぞれのショートカットを提示するための手段であって、各ショートカットが前記ディスカバリ応答中で識別されたリモートアプリケーションの個々に対応し、各ショートカットがターミナルサービスを呼び出すために前記ユーザにより選択可能であり、前記ターミナルサービスが前記イントラネット上の関連づけられたインストールポイント上で対応するリモートアプリケーションを実行する手段をさらに備えたことを特徴とする請求項１９に記載のリモートクライアントコンピュータ。
【請求項２４】
前記ショートカットは、前記リモートアプリケーションのマージされたビューを表し、前記マージされたビューが前記イントラネット上の１つまたは複数のインストールポイントのそれぞれと独立であることを特徴とする請求項２３に記載のリモートクライアントコンピュータ。